(57)【要約】  【課題】座を起立位置に確実に保持し、好適にスタックさせ得る椅子を提供する。  【解決手段】座受１２の後端部に、座１１がフレーム軸２３を中心にして回動するようにフレーム軸２３を把持する把持部１３を形成し、把持部１３の内側に、フレーム軸２３の周面の一部に形成された平面部２３１とフレーム軸２３に対して当接する作動子１４と当該作動子１４をフレーム軸２３側へ付勢するコイルバネ１５とを設け、座１１を起立位置（Ｕ）に位置付けた際に、作動子１４をコイルバネ１５に付勢された状態で平面部２３１に当接させて、座１１を起立位置（Ｕ）に保持するように構成している。  【選択図】図７
2006158745.tif 000002
【特許請求の範囲】
【請求項１】
前後方向から近付けることによって相互に水平にスタッキングすることが可能な椅子であって、
座と当該座を支持する座受とを有する座部と、座部の後端部に巾方向に座部を支持するフレーム軸とを具備し、
前記座受の後端部に、前記座が床面に対して略水平な使用位置と略垂直な起立位置との間で前記フレーム軸を中心にして回動するように前記フレーム軸を把持する把持部を相互に離間させて形成し、
前記把持部の内側に、前記フレーム軸の周面の一部に形成された平面部と前記フレーム軸に対して当接する作動子と当該作動子を前記フレーム軸側へ付勢する付勢部材とを設け、
前記座を前記起立位置に位置付けた際に、前記作動子を前記付勢部材に付勢された状態で前記平面部に当接させて、座を起立位置に保持するように構成していることを特徴とする椅子。
【請求項２】
前記フレーム軸における前記平面部の端縁に沿って角部を形成し、前記使用位置から起立位置へと座部を回動させる際に、前記作動子が前記角部を経て平面部に当接するように構成している請求項１記載の椅子。
【請求項３】
前記把持部が前記座受の後端部を湾曲或いは屈曲することにより形成したものであって、該把持部に前記フレーム軸の周面に沿って部分周回する周回部とフレーム軸の周面を露出させ得る開放部とを形成し、当該開放部に前記作動子と前記付勢手段とを配置している請求項１又は２記載の椅子。
【請求項４】
前記開放部に前記作動子及び前記付勢手段を支持する支持部材を取り付け、
当該支持部材における前記フレーム軸に向く側に前記作動子及び前記付勢手段を配置している請求項３記載の椅子。
【請求項５】
前記フレーム軸に、前記座部を使用位置とした際に前記作動子が当接する第二平面部を形成している請求項１、２、３又は４記載の椅子。
【請求項６】
前記作動子が前記平面部に密接に当接し得る平面的な当接面を有する請求項１、２、３、４又は５記載の椅子。
【請求項７】
前記把持部を前記座部の両側端部近傍に設けている請求項１、２、３、４、５又は６記載の椅子。
【発明の詳細な説明】
【技術分野】
【０００１】
本発明は、相互に水平にスタッキングすることが可能な椅子に関するものである。
【背景技術】
【０００２】
従来、椅子同士を収納のために相互に前後方向から近付けて重合させる所謂水平スタッキングを行うことができる椅子が提案されている。この種の椅子は、一般に座を床面に対して起立させた状態として重合させるものがあり、例えば座が起立した状態で座の角度を保持する保持機構を有するものも提案されている（例えば、特許文献１参照）。
【０００３】
この特許文献１に開示されている椅子は、座の下面側に設けられたフレーム軸に座の巾方向中心部を回動可能に支持する支持部を設け、この支持部が、座を起立した状態に保持し得る機能を有するものである。詳細には、この支持部は座の下面における前後方向中心寄りの箇所に位置し、上述の通り座を回動可能に支持するとともに座と共に回動する板バネに付勢された作動子がフレーム軸の周面に設けた平面部に当接することにより座を起立した状態に保持し得るように構成したものである。
【特許文献１】特開２０００−５０９９５号公報
【発明の開示】
【発明が解決しようとする課題】
【０００４】
しかしながら、特許文献１に開示されている支持部は座部の下面側の前後方向中心寄りの位置に設けられているため、座を起立させた際に当該支持部が前方に露出した状態となる。そのため、座を起立させた状態で移動させる際に一方の椅子の支持部が他方の椅子や他の家具等に衝突してしまう場合も起こり、支持部自体が損傷してしまうか或いは支持部の内部に構成された座を起立した状態に保持する機能が安定して作動しなくなるといったことも起こり得る。また、同文献に開示された椅子は、上述の通り座を起立させれば前方に支持部が露出してしまうため、前後方向に椅子をスタッキングする際には支持部が重合する他の椅子と衝突しないように前後方向に空間を設けた設定としなければならず、その空間の分だけスタックピッチが長くなってしまうこととなる。
【０００５】
本発明は、このような不具合に着目したものであり、スタック機能を備え、座を安定して確実に保持し得るように構成した椅子を提供する。
【課題を解決するための手段】
【０００６】
本発明は、このような目的を達成するために、次のような手段を講じたものである。すなわち、本発明に係る椅子は、前後方向から近付けることによって相互に水平にスタッキングすることが可能な椅子であって、座と当該座を支持する座受とを有する座部と、座部の後端部に巾方向に座部を支持するフレーム軸とを具備し、前記座受の後端部に、前記座が床面に対して略水平な使用位置と略垂直な起立位置との間で前記フレーム軸を中心にして回動するように前記フレーム軸を把持する把持部を相互に離間させて形成し、前記把持部の内側に、前記フレーム軸の周面の一部に形成された平面部と前記フレーム軸に対して当接する作動子と当該作動子を前記フレーム軸側へ付勢する付勢部材とを設け、前記座を前記起立位置に位置付けた際に、前記作動子を前記付勢部材に付勢された状態で前記平面部に当接させて、座を起立位置に保持するように構成していることを特徴とする。
【０００７】
このようなものであれば、作動子及び付勢部材を座受に形成された把持部の内側という外方に露出しない箇所に設けられるものとするため、座を起立させた状態として移動させた際に、作動子及び付勢部材が外部に衝突等して損傷してしまうといった不具合を有効に回避することができ、スタッキングする際に前述した特許文献１に開示された椅子のように支持部を他の椅子に衝突させないための空間を設ける必要がなく、結果としてスタックピッチを小さく設定することが可能となる。また座部の後端部を中心に座を回動させるため、椅子の後端部により近い位置で座を起立させることができるので椅子をスタッキングする際のスタックピッチをより小さく設定することが可能となる。さらに、把持部を複数設けているため、座の重量を複数箇所に分散させて好適に座部を保持することができる。加えて、支持フレームの周面の一部に平面部を設け、座を起立状態とした際に作動子が平面部に当接するように構成しているため、作動子を平面部に確実に当接させて、座部を安定して起立状態に保持する構成とすることが可能である。
【０００８】
そして、上述したフレーム軸における平面部の端縁に沿って角部を形成し、前記使用位置から起立位置へと座部を回動させる際に、前記作動子が前記角部を経て平面部に当接するように構成しているものであれば、起立状態から座を回動させて作動子に角部を通過させる際には、当該角部が付勢部材の付勢方向に反して作動子を押圧することとなるため、より大きな作用力が必要となる。よって、支持フレームの平面部の端部に角部を形成することにより、座を起立状態とした際には作動子が安定して平面部に当接した状態を安定させることにより座を起立状態により安定して維持することができる一方、作動子が角部を通過する際に必要な作用力は当該作用力を付与する使用者には抵抗感（クリック感）として感じさせることとなる。すなわち、角部を形成することにより、座を回動させる使用者に対して座が起立状態にあるか否かを明確に確認させることができる。
【０００９】
さらに、少ない部品点数で把持部を設けるためには、把持部を前記座受の後端部を湾曲或いは屈曲することにより形成するとともにフレーム軸の周面に沿って部分周回する周回部とフレーム軸の周面を露出させ得る開放部とを形成し、当該開放部に作動子と付勢手段とを配置することが望ましい。また、作動子及び付勢手段を好適に位置付けて、作動子及び付勢手段を外部から隠蔽することにより外部から干渉される事なく安定して動作させるためには、開放部に作動子及び付勢手段を支持する支持部材を取り付け、当該支持部材における前記フレーム軸に向く側に作動子及び付勢手段を配置するものとすることが好ましい。
【００１０】
一方、座が使用位置にある状態から不意に座部が跳ね上がってしまうといった不具合を有効に回避するためにはフレーム軸に、前記座部を使用位置とした際に前記作動子が当接する第二平面部を形成することが望ましい。
【００１１】
座部を使用位置或いは起立位置に確実に保持させるためには、作動子に平面部に密接に当接し得る平面的な当接面を形成することが望ましい。加えて、座部を確実に支持しつつ使用者に干渉し難い位置に把持部を設けるためには、把持部を前記座部の両側端部近傍に設けることが望ましい。
【発明の効果】
【００１２】
本発明によれば、座部を保持するための作動子及び付勢手段を座部の後端部に形成した把持部の内側に位置付けて外方に露出させない構成としているため、作動子及び保持機構が外部に衝突等して損傷してしまうといった不具合を有効に回避することができる。また座部の後端部に把持部を設けて当該把持部を中心に座部を回動させるものであるため、椅子の後端部により近い位置で座を起立させることができるため、座を起立させた際の前後方向の寸法をコンパクトに構成し、椅子のスタックピッチを小さく設定することも可能となる。さらに、保持機構を巾方向に沿って複数設けているため、座部の重量を複数箇所に分散させて好適に座部を起立姿勢に保持することができる。
【発明を実施するための最良の形態】
【００１３】
以下、本発明の一実施の形態について図面を参照して説明する。
【００１４】
本実施形態に係る椅子Ｃを図１〜図４に示す。この椅子Ｃは、椅子Ｃの外形を主に形成するフレーム２に、座部１及び背部Ｂとを取り付けることによって主に構成されるものである。この椅子Ｃは、収納する際などは図４に示すように、同種の椅子Ｃ同士を前後方向にスタッキングすることにより多数の椅子Ｃを少ないスペースに効率的に収納し得るものである。
【００１５】
フレーム２は、図１及び図２に示すように、床面から略垂直に立ち上がる左右一対の例えば金属パイプ製の後脚フレーム２１に側面視逆Ｌ字形状の例えば金属パイプ製の前フレーム２２をそれぞれ溶接等により接続し、一対の後脚フレーム２１の上端部付近に後に詳述するフレーム軸２３を巾方向に介在させて接続するとともに、一対の前フレーム２２のうち、椅子Ｃの前後方向に延びる側フレーム部２２１の前端部付近に例えば金属パイプ製の支持フレーム２４を巾方向に介在させて接続してなるものである。そして、後脚フレーム２１の下端部と前フレーム２２における上下方向に延びる前脚フレーム部２２２の下端部とに、キャスタＣＳをそれぞれ計４つ取り付けている。また、支持フレーム２４は、巾方向中央部を含む領域を上方に隆起させるように湾曲させているとともに、支持フレーム２４の巾方向中央部には座部１に当接する樹脂製の当接部材２５を取り付けている。
【００１６】
背部Ｂは、例えば樹脂製の板材を主体としてなるものであり、本実施形態において、図１及び図２に示すように、一対の後脚フレーム２１の上端部に上方から被せるように取り付けている。
【００１７】
座部１は、図１及び図２に示すように、座１１と座受１２とによって主に構成されており、座受１２の後端部においてフレーム軸２３に回動可能に支持されるとともに、座受１２の巾方向中央部前よりの所定箇所において支持フレーム２４に取り付けられた当接部材２５に下方から支持されるものである。
【００１８】
しかして椅子Ｃは、座１１が床面に対して略水平となる図１に示す使用位置（Ｕ）と座１１が床面に対して略垂直な姿勢となる図３に示す起立位置（Ｓ）との間で座部１が回動するように構成しているものである。
【００１９】
そして椅子Ｃは、前述の通り図４に示すように、座１１を起立位置（Ｓ）とした状態において同種の椅子Ｃを前後方向に複数近付けることによって複数の椅子Ｃを前後方向にスタックすることが可能となっているものである。
【００２０】
ここで本実施形態に係る椅子Ｃは、特に図２及び図５に示すように、座受１２の後端部且つ両側端部近傍に、一対の後述する把持部１３を設けるとともに、この把持部１３の内側にフレーム軸２３の後述する平面部２３１に対して当接し得る作動子１４と当該作動子１４をフレーム軸２３側へ付勢する付勢部材たるコイルバネ１５とを位置付けている。そして、作動子１４がコイルバネ１５に付勢された状態で平面部２３１に当接することにより座１１を図２に示す起立位置（Ｓ）に保持することを特徴としているものである。
【００２１】
以下、本実施形態に係る椅子Ｃにおいて、座１１を使用位置（Ｕ）から起立位置（Ｓ）へと相互に回動させるための具体的な構造について図５、図６及び図７を用いて詳細に説明する。
【００２２】
把持部１３は、上述の通り座部１の座受１２の後端部両側縁付近に、座受１２の後端部を側面視Ｕ字状に湾曲させてそれぞれ形成したものである。そして把持部１３は、フレーム軸２３に取り付けた際にフレーム軸２３の周面に沿って部分周回する周回部１３１とフレーム軸２３の周面を露出させ得る開放部１３２とを有しており、この開放部１３２に作動子１４とコイルバネ１５とを取り付けた支持部材１６を配置している。そして、周回部１３１の内側面にはフレーム軸２３に対して座部１全体を円滑に回動させるための円滑板１３１ａが嵌め込まれている。
【００２３】
フレーム軸２３は、把持部１３に収容される巾方向両端部に斜め上方向に面する平面部２３１及び下方に面する第二平面部２３２とが形成されている。さらに平面部２３１及び第二平面部２３２との間には円周面部２３３が介在するとともにこの円周面部２３３の回動方向両端すなわち平面部２３１及び第二平面部２３２の端部には角部２３１ａ及び第二角部２３２ａを形成している。
【００２４】
支持部材１６は、長手方向に断面視略同一形状に成型された例えば樹脂製の中実な部材であって、上述した把持部１３の開放部１３２に側方からスライドさせて挿入することにより強固に取り付けられるものである。詳細には支持部材１６の長手方向中央部の上側に、コイルバネ１５を収納可能なバネ収納穴１６１と作動子１４を上下動作可能に支持する作動子支持部１６２とを形成し、バネ収納穴１６１にコイルバネ１５を挿入した状態で作動子１４を上から被せるように取り付け、把持部１３の開放部１３２にスライドさせて挿入させるものである。そしてこの支持部材１６を用いて作動子１４及びコイルバネ１５を把持部１３の内部に取り付けた際にはこの作動子１４及びコイルバネ１５は完全に外部から隠蔽された状態となる。この支持部材１６においても、図６に示すように、開放部１３２に取り付けた状態として下方から固定部材１６３を取り付け、２本のボルトｂを座受１２側を挿通させ、当該ボルトｂを支持部材１６に螺合することにより、把持部１３の内側すなわち開放部１３２に完全に固定されるとともに、支持部材１６自体も内側方から露出するだけの状態となる。
【００２５】
作動子１４は、例えば断面視コの字形状の金属製の板材である。当該作動子１４におけるコの字の閉塞側外面はフレーム軸２３に設けた平面部２３１及び第二平面部２３２に当接し得る平面的な当接面１４ａに設定しているとともに、図示しな当接面１４ａの裏側においてコイルバネ１５に付勢される。そして当接面１４ａに連続する一対の側板が、作動子支持部１６２によって移動方向が規制されつつフレーム軸２３に向かって突没動作し得るように構成されている。
【００２６】
コイルバネ１５は、本実施形態において支持部材１６のバネ収納穴１６１に収納され得る直径及び長さを有した金属製の一般的なバネを採用しているが、作動子１４を付勢し得るものであれば、勿論、板バネやその他の構成を有するバネであっても良い。
【００２７】
次に、図７、図８及び図９を用いて座部１が回動する際の把持部１３及び作動子１４の動作について詳述する。
【００２８】
座１１が使用位置（Ｕ）にある状態では、図７に示すように、作動子１４の当接面１４ａはフレーム軸２３の第二平面部２３２に当接した状態となっている。そして、この状態から座部１を回動させると、まず作動子１４の当接面１４ａは第二平面部２３２の端に位置する第二角部２３２ａを通過する際にコイルバネ１５の付勢方向に反して作動子１４が押圧されるため、座部１を回動させる使用者はクリック感として認識され得る程度の一時的な抵抗感を感じることとなる。そして座部１をさらに回動させると図８に示すように、当接面１４ａが第二角部２３２ａを超えてさらに作動子１４をコイルバネ１５の付勢方向に反してコイルバネ１５を押圧した状態で支持フレーム２４の円周面２４３を移動し、図９に示すように、座１１が起立位置（Ｓ）となった際には作動子１４の当接面１４ａが平面部２３１の角部２３１ａを超えてコイルバネ１５に付勢されながら平面部２３１に当接する。そのため、座部１は、コイルバネ１５の付勢力によって座１１が起立位置（Ｓ）に至る直前から起立位置（Ｓ）へと回動する方向の作用力を付勢されながら起立状態（Ｓ）へと到達する。
【００２９】
一方、図９に示した起立位置（Ｓ）から図７に示した使用位置（Ｕ）へと回動させて作動子１４の当接面１４ａが平面部２３１の端部に形成された角部２３１ａを通過する際、平面部２３１に当接している作動子１４の当接面１４ａはコイルバネ１５の付勢方向に反する方向にコイルバネ１５を押圧し、このとき上述同様のクリック感を使用者に与える。その後は上述の過程と逆の順序を辿って座１１が図７に示す使用位置（Ｕ）へと収まることとなる。
【００３０】
また、上述の通りフレーム軸２３に角部２３１ａ並びに第二角部２３２ａを形成することにより、座１１を使用位置（Ｕ）と起立位置（Ｓ）とに相互に回動させる際には起立位置（Ｓ）を解除する際と使用位置（Ｕ）を解除する際に、コイルバネ１５の付勢力が、使用者にクリック感として認識される程度の抵抗力を座部１に与えている。即ち、座１１が使用位置（Ｕ）及び起立位置（Ｓ）にある状態において、座部１を回動させる作用力が上述の抵抗力よりも大きくならない限り、座部１は使用位置（Ｕ）並びに起立位置（Ｓ）に安定して支持された状態を保ち得ることとなる。
【００３１】
ここで、本実施形態に係る椅子Ｃは上述のような座部１の位置を保持し得る構造に加えて、座部１と支持フレーム２４との間に後述する空隙部Ｐを形成している。詳細には、本実施形態に係る椅子Ｃは、座１１を使用位置（Ｕ）とした状態において座部１の巾方向中央部に下方から当接する当接部材２５からなる当接部Ａを支持フレーム２４の長手方向中央部の後述する隆起部分２４ｂに設け、当接部Ａにおいて座部１を支持フレーム２４に間接的に当接させ且つ支持させた状態で、座部１の側縁部１ａと支持フレーム２４との間に空隙部Ｐを形成していることを特徴とするものである。さらに、座部１の側縁部１ａの下方において前後方向に延びる側フレームたる側フレーム部２２１と座部１との間を離間させて構成している。
【００３２】
以下、椅子Ｃが座部１における座１１を使用位置（Ｕ）とした状態において支持フレーム２４に座部を支持させる具体的構造について図１０、図１１及び図１２を用いて詳述する。
【００３３】
支持フレーム２４は、上述の通り、一対の前フレーム２２のうち、前後方向に延びる側フレーム部２２１の前端部付近に巾方向に介在させて、座部１の前後方向中心部よりもやや前よりの箇所を下方から支持しているものである。具体的には、図１０に示す通り、左右一対の側フレーム部２２１の前端部付近より支持フレーム２４の両端部２４ａを斜め上方に向けて立ち上げることにより巾方向中央部を含む領域を両端部２４ａよりも隆起させた隆起部分２４ｂとしている。そして、この隆起部分２４ｂに図示しないボルト固定穴を２ヵ所に設けることにより、この隆起部分２４ｂに当接部材２５を、２本のボルトｂによって強固に固定している。
【００３４】
ここで、本実施形態では、隆起部分２４ａに当接部材２５を取り付け、この当接部材２５が座受１２に形成した後述するリブ１２１に当接するものとしている。すなわち、当接部材２５が、本発明に係る当接部Ａとして機能している。
【００３５】
当接部材２５は、例えば樹脂の一体成形により形成されたものである。詳細には、図１２に示すように、断面視逆Ｕ字状のカバー部２５１の内部にリブ部２５２を形成することによりカバー部２５１を支持する構成となっている。さらに、当接部材２５の上面２５ａにおいて２箇所にボルト挿通孔２５３を設け、当該ボルトｂを挿通させ隆起部分２４ｂに形成された図示しないボルト固定孔に固定することにより当接部材２５は支持フレーム２４の隆起部分２４ｂに強固に固定されるものとなっている。なお、本実施形態において当接部材２５の上面２５ａは、後述する座受１２に形成したリブ１２１に当接し且つ座部１に掛かる着座荷重を好適に支持するため、若干斜め後方に面するよう構成している（図１２）。
【００３６】
一方、座部１の下面側すなわち座受１２の下面側には、上述の当接部材２５に当接し得る図１１に示すリブ１２１を設けている。詳細に説明すると、このリブ１２１は座部１の設計の都合上、座部１の撓み、ねじれ防止の為の役割を主に担うものであるが、本発明において、当該リブ１２１の形状は上述した当接部材２５に好適に当接し得るものに形成している。
【００３７】
リブ１２１は、図１１及び図１２に示すように、長手方向つまり椅子Ｃの巾方向に延びる３本の支持リブ１２１ａ、１２１ｂ及び１２１ｃと、当該支持リブ１２１ａ、１２１ｂ及び１２１ｃに直交する方向に等間隔に複数形成された当接リブ１２１ｄとによって構成されている。そして、リブ１２１は当接リブ１２１ｄの端面に、上述した当接部材２５の上面２５ａの形状に略合致させた湾曲面１２１ｅを形成したものである。そしてこの湾曲面１２１ｅの形状は、詳細には当接部材２５の上面２５ａの形状に完全に一致するものではなく、図１０及び図１２に示す当接部材２５がリブ１２１の湾曲面１２１ｅと当接した状態において、座部１に掛かる着座荷重に応じて座受１２の撓み具合が変化しても湾曲面１２１ｅが上面２５ａに一定以上の当接面積を維持した状態で当接し得る形状となっている。勿論、上述の支持リブ１２１ａ、１２１ｂ及び１２１ｃの立ち上がる高さはこの湾曲面１２１ｅの形状に従って設定されたものとなっている。
【００３８】
そして、図１２に示すように、当接部Ａとリブ１２１とを当接させた状態において、座部１の側縁部１ａと支持フレーム２４との間に空隙部Ｐを形成している。さらに、座部１の側縁部１ａの下方において前後方向に延びる側フレームたる側フレーム部２２１と座部１との間が離間するものとなっている。
【００３９】
以上のように、本実施形態に係る椅子Ｃは、作動子１４及び付勢部材たるコイルバネ１５を外方に露出しない箇所すなわち座受１２に形成した把持部１３の内側に位置付けているため、作動子１４及びコイルバネ１５が外部に衝突等して損傷してしまうといった不具合を有効に回避したものとなっている。また座部１の後端部に形成した把持部１３を中心に座部１を回動させるため、椅子Ｃの後端部により近い位置で座１１すなわち座部１を起立させることができるので、例えば座の前後方向中心付近を中心に座を回動させるような椅子と比べて椅子Ｃをスタッキングする際のスタックピッチを小さくしたものとなっている。さらに、把持部１３を複数設けているため、座部１の重量を複数箇所に分散させて好適に座部１を保持することができる。加えて、支持フレーム２３の周面の一部に平面部２３１を設け、座１１を起立位置（Ｓ）とした際に作動子１４が平面部２３１に当接するように構成しているため、作動子１４が平面部２３１に確実に当接することにより、座部１を安定して起立位置（Ｓ）に保持し得るものとなっている。
【００４０】
また、平面部２３１の端部に角部２３１ａを形成しているため、起立位置（Ｓ）から座１１すなわち座部１を回動させて作動子１４に角部２３１ａを通過させる際には、角部２３１ａがコイルバネ１５の付勢方向に反して作動子１４を押圧することとなるため、より大きな作用力が必要となる。すなわち、フレーム軸２３の平面部２３１の端部に角部２３１ａを形成することにより、座１１を起立位置（Ｓ）とした際には作動子１４が確実に平面部２３１に当接した状態を安定させることにより座１１を起立位置（Ｓ）に、より安定して維持させ得るものとなっている。一方、作動子１４が角部２３１ａを通過する際に必要な作用力は当該作用力を付与する使用者にはクリック感として感じさせる程度の抵抗感として感じさせることとなる。すなわち、角部２３１ａを形成することにより、座１１を回動させる使用者に対して座１１が起立位置（Ｕ）にあるか否かを明確に確認させ得るものとなっている。
【００４１】
さらにフレーム軸２３に、第二平面部２３２を設けて座１１が使用位置（Ｕ）にある状態から座部１が不意に跳ね上がってしまうといった不具合を有効に回避することができる。
【００４２】
また、把持部１３を座受１２の後端部を湾曲或いは屈曲させるのみで形成することにより、座部１を構成する部品点数を有効に削減することを実現している。また、周回部１３１によりフレーム軸２３を中心として座部１を好適に回動させ得る構成としつつ、作動子１４とコイルバネ１５とを開放部１３２に位置付けることによりフレーム軸２３の周面に好適に作用させ得る構成とすることが可能である。
さらに開放部１３２に支持部材１６を取り付け当該支持部材１６におけるフレーム軸２３に向く側に作動子１４及びコイルバネ１５を配置するように構成しているため、作動子１４及びコイルバネ１５が外部から隠蔽されるために干渉される事なく安定して動作し得るものとなっている。
【００４３】
そして作動子１４にフレーム軸２３の平面部２３１に密接に当接し得る平面的な当接面１４ａを形成することにより、確実に座１１が使用位置（Ｕ）並びに起立位置（Ｓ）となるように座部１を保持している。また、把持部１３を座部１の両側端部近傍にそれぞれ設けているため、把持部１３を着座する使用者に干渉し難いものとすることができる。
【００４４】
以上、本発明の実施形態について説明したが、各部の具体的な構成は、上述した実施形態のみに限定されるものではなく、例えば、上記実施形態において、把持部の位置を巾方向両側端部に設定したものとしたが、勿論他の箇所に設置したものであっても良く、フレーム軸の断面形状は部分的に切り欠いた円形状のものに限られることはなく例えば、六角形や八角形など多角形のものを採用することにより、平面部と角部をそれぞれ形成したものとしてもよい。
【００４５】
その他、各部の具体的構成についても上記実施形態に限られるものではなく、本発明の趣旨を逸脱しない範囲で種々変形が可能である。
【図面の簡単な説明】
【００４６】
【図１】本発明の一実施形態に係る椅子の座を使用位置とした状態を示す側面図。
【図２】同正面図。
【図３】同実施形態に係る椅子の座を起立位置とした状態を示す側面図。
【図４】同実施形態に係る椅子を前後方向にスタックさせた状態を示す説明図。
【図５】同実施形態に係る椅子の座部の構成を示す説明図。
【図６】同上。
【図７】同実施形態に係る椅子の座部の動作を示す動作説明図。
【図８】同上。
【図９】同上。
【図１０】同実施形態に係る椅子の座部の構成を示す説明図。
【図１１】同上。
【図１２】同上。
【符号の説明】
【００４７】
１…座部
１１…座
１２…座受
１３…把持部
１３１…周回部
１３２…開放部
１４…作動子
１４ａ…当接面
１５…付勢手段（コイルバネ）
１６…支持部材
Ｃ…椅子
２３…フレーム軸
２３１…平面部
２３１ａ…角部
２３２…第二平面部
Ｓ…起立位置
Ｕ…使用位置
【図１】
2006158745.tif 000003
【図２】
2006158745.tif 000004
【図３】
2006158745.tif 000005
【図４】
2006158745.tif 000006
【図５】
2006158745.tif 000007
【図６】
2006158745.tif 000008
【図７】
2006158745.tif 000009
【図８】
2006158745.tif 000010
【図９】
2006158745.tif 000011
【図１０】
2006158745.tif 000012
【図１１】
2006158745.tif 000013
【図１２】
2006158745.tif 000014